(57)【要約】【課題】建物設備の取り付けが可能な壁部を好適に構築する。【解決手段】間仕切壁部１５は、一対の壁面材２１，２２と、これら壁面材２１，２２の間に設けられたスタッド３３を有している。間仕切壁部１５は第１居室１１と第２居室１２とを仕切っており、間仕切壁部１５には、第１居室１１に設置された壁付き設備４１が取り付けられている。間仕切壁部１５には、一対の壁面材２１，２２の間において、隣り合うスタッド３３の間に設備下地板４５が設けられている。設備下地板４５は、連結部材５１を介してスタッド３３に連結されている。スタッド３３には、スリットが形成されており、連結部材５１は、スリットに挿入されていることでスタッド３３に取り付けられている。設備下地板４５は、第１壁面材２１の裏面に重ねられており、連結部材５１は、設備下地板４５を挟んで第１壁面材２１とは反対側に配置されている。【選択図】      図１
2015124600.tif 000002
【特許請求の範囲】
【請求項１】
壁下地及び該壁下地に取り付けられた壁面材を有する壁部と、
前記壁面材の裏面に重ねられ、該裏面が延びる方向に沿って前記壁下地に並べて設けられた下地板部と、
前記壁下地と前記下地板部とを連結する連結部材と、
を備え、
前記壁下地において、前記壁面材の裏面が延びる方向に交差して前記壁部の壁厚み方向に延びる面には、前記連結部材が挿入された被挿入部が設けられていることを特徴とする建物の壁構造。
【請求項２】
前記壁下地は、前記壁部の壁高さ方向に延び且つ前記壁部の壁幅方向に沿って複数並べられた下地縦材を有しており、
前記下地板部は、隣り合う前記下地縦材の間に配置されており、
前記被挿入部は、前記下地縦材の側面に設けられていることで前記下地板部側に向けて開放されていることを特徴とする請求項１に記載の建物の壁構造。
【請求項３】
前記被挿入部は、前記下地板部を挟んで隣り合う前記下地縦材のそれぞれに設けられており、
前記連結部材として、前記隣り合う下地縦材のうち一方の前記下地縦材の前記被挿入部に挿入された第１連結部材と、他方の前記下地縦材の前記被挿入部に挿入された第２連結部材とが設けられており、
前記下地板部は、前記第１連結部材及び前記第２連結部材を介して前記隣り合う下地縦材に掛け渡された状態で設けられていることを特徴とする請求項２に記載の建物の壁構造。
【請求項４】
前記被挿入部は、前記下地縦材の側面において前記壁高さ方向に沿って複数設けられており、
前記連結部材として、上側連結部材と、該上側連結部材の下方に設けられ同上側連結部材とは異なる被挿入部に挿入された下側連結部材とが設けられていることを特徴とする請求項２又は３に記載の建物の壁構造。
【請求項５】
前記連結部材は、
前記被挿入部に挿入された挿入部と、
前記下地板部に固定された固定部と、
前記挿入部と前記固定部との間に設けられた中間部と、
を有していることを特徴とする請求項１乃至４のいずれか１項に記載の建物の壁構造。
【請求項６】
前記固定部は、前記下地板部における前記壁面材とは反対側の板面に重ねられた状態で該下地板部に固定され、前記壁厚み方向において前記挿入部とは異なる位置に配置されており、
前記中間部は、前記固定部と前記挿入部とを接続するために前記壁厚み方向に延びていることを特徴とする請求項５に記載の建物の壁構造。
【請求項７】
前記被挿入部は、前記壁面材の裏面に沿って前記壁下地の周面に複数並べて設けられており、
前記連結部材は、前記挿入部として、第１挿入部と、該第１挿入部とは異なる被挿入部に挿入された第２挿入部とを有しており、
前記第１挿入部と前記第２挿入部とは、前記固定部又は前記中間部により接続されていることを特徴とする請求項５又は６に記載の建物の壁構造。
【請求項８】
前記下地板部における前記壁面材とは反対側の面に前記連結部材が重ねられており、
前記連結部材は、当該連結部材における前記被挿入部に挿入されていない部分から前記壁面材とは反対側に向けて突出し、同連結部材が前記挿入されていない部分が前記壁面材から離れる向きで回動することを規制する回動規制部を有していることを特徴とする請求項１乃至７のいずれか１項に記載の建物の壁構造。
【請求項９】
前記壁下地は、前記壁面材の裏面に沿って延びている長尺下地材を有しており、
前記被挿入部は、前記長尺下地材の外周部を貫通し、該長尺下地材の長手方向に沿って延びているスリットであることを特徴とする請求項１乃至８のいずれか１項に記載の建物の壁構造。
【発明の詳細な説明】
【技術分野】
【０００１】
本発明は、建物の壁構造に関するものである。
【背景技術】
【０００２】
住宅等の建物においては、手摺や電気機器等の建物設備が間仕切壁等の壁部に取り付けられていることがある。例えば、間仕切壁が間柱等の下地縦材とその下地縦材に取り付けられた壁面材とを有し、腰壁面を形成する合板等の補強板部が壁面材の仕上面に重ねられ、建物設備を間仕切壁に固定するビス等が補強板部及び壁面材を貫通して下地縦材に打ち込まれている、という構成がある（例えば特許文献１参照）。この構成では、補強板部が下地縦材と共に建物設備を支持する役割を果たしている。このため、建物設備に外力が加えられたとしても、壁部が壁厚み方向に撓むことや破損することなどが生じにくくなっている。
【先行技術文献】
【特許文献】
【０００３】
【特許文献１】特開平１０−８２１５４号公報
【発明の概要】
【発明が解決しようとする課題】
【０００４】
しかしながら、補強板部と下地縦材とが間仕切壁の壁厚み方向に並べて設けられた構成では、補強板部が建物設備の大きさに合わせて壁部の一部に設けられている場合に、補強板部が設置された設置部分と設置されていない非設置部分とで壁部の厚み寸法が異なってしまう。そこで、壁部の内部において補強板部を下地縦材に横並びに配置することで、補強板部の設置部分と非設置部分とで壁部の厚み寸法が異なることを回避できる。
【０００５】
ここで、補強板部を下地縦材に横並びに配置した場合、金具等の連結部材を用いて補強板部を下地縦材に固定することになる。ところが、下地縦材において壁面材が取り付けられる取付面に連結部材を固定したことを想定すると、壁面材と下地縦材との間に連結部材が挟まった状態になることで、壁面材の仕上面に不陸が生じることが懸念される。
【０００６】
本発明は、上記事情に鑑みてなされたものであり、建物設備の取り付けが可能な壁部を好適に構築することを主たる目的とするものである。
【課題を解決するための手段】
【０００７】
以下、上記課題を解決するのに有効な手段等につき、必要に応じて作用、効果等を示しつつ説明する。なお、以下においては、理解の容易のため、発明の実施の形態において対応する構成を括弧書き等で適宜示すが、この括弧書き等で示した具体的構成に限定されるものではない。
【０００８】
第１の発明の建物の壁構造は、壁下地（壁下地２３）及び該壁下地に取り付けられた壁面材（第１壁面材２１）を有する壁部（間仕切壁部１５）と、前記壁面材の裏面に重ねられ、該裏面が延びる方向に沿って前記壁下地に並べて設けられた下地板部（設備下地板４５）と、前記壁下地と前記下地板部とを連結する連結部材（連結部材５１）と、を備え、前記壁下地において、前記壁面材の裏面が延びる方向に交差して前記壁部の壁厚み方向に延びる面には、前記連結部材が挿入された被挿入部（スリット５３）が設けられていることを特徴とする。
【０００９】
第１の発明によれば、建物設備を壁部内の下地板部にビス等により固定することができるため、壁部により建物設備を適正に支持することができる。ここで、下地板部を壁下地に連結する連結部材が壁下地の被挿入部に挿入されているため、その連結部材を壁下地と壁面材との間に入り込ませる必要がない。この場合、壁下地において壁面材が取り付けられる取付面に段差が生じないため、連結部材の存在に起因した不陸が壁面材の仕上面に発生するということを回避できる。しかも、連結部材を被挿入部に挿入するという容易な作業によりその連結部材を壁下地に取り付けることが可能になるため、下地板部を壁下地に取り付ける際の作業負担を低減できる。したがって、建物設備の取り付けが可能な壁部を好適に構築することができる。
【００１０】
第２の発明では、第１の発明において、前記壁下地は、前記壁部の壁高さ方向に延び且つ前記壁部の壁幅方向に沿って複数並べられた下地縦材（スタッド３３）を有しており、前記下地板部は、隣り合う前記下地縦材の間に配置されており、前記被挿入部は、前記下地縦材の側面に設けられていることで前記下地板部側に向けて開放されている。
【００１１】
連結部材が被挿入部に挿入された構成では、例えば壁幅方向に延びている下地横材の下面に被挿入部が形成されていると、連結部材が被挿入部から抜け落ちることが懸念される。これに対して、第２の発明によれば、被挿入部が下地縦材の側面に形成されているため、連結部材が被挿入部から抜け落ちにくくなっている。したがって、連結部材を下地縦材に取り付ける構成が複雑になることを抑制できる。
【００１２】
第３の発明では、第２の発明において、前記被挿入部は、前記下地板部を挟んで隣り合う前記下地縦材のそれぞれに設けられており、前記連結部材として、前記隣り合う下地縦材のうち一方の前記下地縦材の前記被挿入部に挿入された第１連結部材（連結部材５１Ａ，５１Ｂ）と、他方の前記下地縦材の前記被挿入部に挿入された第２連結部材（連結部材５１Ｃ，５１Ｄ）とが設けられており、前記下地板部は、前記第１連結部材及び前記第２連結部材を介して前記隣り合う下地縦材に掛け渡された状態で設けられている。
【００１３】
第３の発明によれば、隣り合う下地縦材に掛け渡された状態で下地板部が設けられているため、下地板部が壁幅方向に移動したとしても下地板部の端面が下地縦材の側面に当たることで、第１連結部材や第２連結部材が被挿入部から抜け落ちるということを抑制できる。ここで、隣り合う下地縦材においては、互いに対向する側面のそれぞれに被挿入部が設けられているため、第１連結部材及び第２連結部材の少なくとも一方から下地板部を取り外さない限りは、これら連結部材が被挿入部から抜け落ちることが規制されている。したがって、連結部材が被挿入部に挿入されている構成であっても、下地板部を下地縦材に対して好適に取り付けることができる。
【００１４】
第４の発明では、第２又は第３の発明において、前記被挿入部は、前記下地縦材の側面において前記壁高さ方向に沿って複数設けられており、前記連結部材として、上側連結部材（連結部材５１Ａ，５１Ｃ）と、該上側連結部材の下方に設けられ同上側連結部材とは異なる被挿入部に挿入された下側連結部材（連結部材５１Ｂ，５１Ｄ）とが設けられている。
【００１５】
壁高さ方向において下地板部の長さ寸法が被挿入部の高さ寸法に比べて大きい場合には、下地板部がその上端や下端が壁厚み方向に移動する向きで連結部材を軸として回動しやすくなると懸念される。
【００１６】
これに対して、第４の発明によれば、上下に並べられた上側連結部材及び下側連結部材により下地板部が下地縦材に連結されているため、下地板部の上端部や下端部が壁厚み方向に移動する向きで下地板部が回動するということを規制できる。したがって、建物設備を壁部に固定するビス等を下地板部に対して打ち込んだ場合に、ビス等の打ち込みに合わせて下地板部が奥側に移動してしまうことに起因して、ビス等を下地板部に適正に打ち込むことができない、ということを抑制できる。
【００１７】
第５の発明では、第１乃至第４のいずれかの発明において、前記連結部材は、前記被挿入部に挿入された挿入部（挿入部５５）と、前記下地板部に固定された固定部（固定部５６）と、前記挿入部と前記固定部との間に設けられた中間部（中間部５７）と、を有している。
【００１８】
第５の発明によれば、連結部材が中間部を有しているため、中間部を変形させることで挿入部と固定部との位置関係を調整することができる。この場合、挿入部と固定部とを壁厚み方向に重ならない位置に配置することが可能になるため、下地板部の位置や厚み寸法に合わせて被挿入部の位置を変更しなくても、挿入部を被挿入部に挿入し且つ固定部を下地板部に固定するという作業を容易に行うことができる。
【００１９】
第６の発明では、第５の発明において、前記固定部は、前記下地板部における前記壁面材とは反対側の板面に重ねられた状態で該下地板部に固定され、前記壁厚み方向において前記挿入部とは異なる位置に配置されており、前記中間部は、前記固定部と前記挿入部とを接続するために前記壁厚み方向に延びている。
【００２０】
連結部材の固定部が下地板部の板面に重ねられている構成では、下地板部の厚み寸法や、壁厚み方向において壁下地の挿入部に対する下地板部の位置などに合わせて、挿入部に対する固定部の位置を壁厚み方向について調整する必要が生じる。
【００２１】
これに対して、第６の発明によれば、壁厚み方向において壁下地の被挿入部に対する下地板部の位置を、固定部や挿入部に対する中間部の角度を増減させるという容易な作業により調整することができる。したがって、壁厚み方向において固定部の位置を変更するために、壁下地について被挿入部の位置を壁厚み方向に変更するという必要がない。したがって、壁下地に対する下地板部の位置合わせ作業を容易化できる。
【００２２】
第７の発明では、第５又は第６の発明において、前記被挿入部は、前記壁面材の裏面に沿って前記壁下地の周面に複数並べて設けられており、前記連結部材は、前記挿入部として、第１挿入部（第１挿入部５５ａ）と、該第１挿入部とは異なる被挿入部に挿入された第２挿入部（第２挿入部５５ｂ）とを有しており、前記第１挿入部と前記第２挿入部とは、前記固定部又は前記中間部により接続されている。
【００２３】
第７の発明によれば、連結部材が複数の被挿入部に跨った状態で挿入されているため、連結部材が単に被挿入部に挿入されているだけでも、その連結部材が壁下地から離脱しにくい構成を実現できる。
【００２４】
なお、本発明を第２の発明に適用し、第１挿入部及び第２挿入部が上下に並べて配置され、これら挿入部のうち一方が上側挿入部とされ、他方が下側挿入部とされていることが好ましい。この構成では、連結部材の自重により、上側挿入部には被挿入部から抜ける向きで力が加えられる一方で、下側挿入部には被挿入部に挿入される向きで力が加えられるため、連結部材の全体として各挿入部が被挿入部から抜け落ちにくい構成を実現できる。
【００２５】
第８の発明では、第１乃至第７のいずれかの発明において、前記下地板部における前記壁面材とは反対側の面に前記連結部材が重ねられており、前記連結部材は、当該連結部材における前記被挿入部に挿入されていない部分から前記壁面材とは反対側に向けて突出し、同連結部材が前記挿入されていない部分が前記壁面材から離れる向きで回動することを規制する回動規制部（回動規制部６１）を有している。
【００２６】
第８の発明によれば、建物設備を固定するビス等が壁面材を貫通して下地板部に打ち込まれる際に、連結部材及び下地板部が奥側（壁面材から離れる側）に向けて回動することが回動規制部により規制されるため、ビス等を下地板部に容易に打ち込むことができる。したがって、建物設備を下地板部に対して適正に固定することができる。
【００２７】
第９の発明では、第１乃至第８のいずれかの発明において、前記壁下地は、前記壁面材の裏面に沿って延びている長尺下地材（スタッド３３）を有しており、前記被挿入部は、前記長尺下地材の外周部を貫通し、該長尺下地材の長手方向に沿って延びているスリットである。
【００２８】
第９の発明によれば、被挿入部が長尺下地材の外周部を貫通したスリットであるため、例えば中実の柱部材に貫通孔を形成する構成に比べて、長尺下地材に被挿入部を形成する作業を容易化できる。しかも、スリットの形状に合わせて連結部材を板材により形成することが可能になるため、例えば棒部材により連結部材が形成された構成に比べて、連結部材の強度を高めることができる。さらに、スリットが長尺下地材の長手方向に沿って延びているため、例えばスリットが長尺下地材の短手方向に沿って延びている構成に比べて、スリットが形成されていることに起因して長尺下地材の強度が低下するということが生じにくくなっている。
【図面の簡単な説明】
【００２９】
【図１】間仕切壁部の構成を示す図
【図２】間仕切壁部の内部構造を示す図
【図３】連結部材の構成を示す図
【図４】連結部材の取り付け手順を示す図
【図５】別の間仕切壁部の内部構造を示す図
【図６】別の連結部材の構成を示す図
【図７】別の間仕切壁部の構成を示す図
【図８】別の間仕切壁部の構成を示す図
【発明を実施するための形態】
【００３０】
以下、本発明を具体化した一実施形態について図面を参照しつつ説明する。本実施形態では、本発明の壁構造を建物の間仕切壁部において具体化している。建物は、トイレや廊下、リビングなど複数の居住空間を有しており、これら居住空間は間仕切壁部により互いに仕切られている。図１は間仕切壁部１５の構成を示す図、図２は間仕切壁部１５の内部構造を示す図、図３は連結部材５１の構成を示す図である。なお、図１においては、（ａ）に間仕切壁部１５の正面図を示し、（ｂ）に（ａ）のＡ−Ａ線断面図を示す。図２においては、（ａ）に図１（ａ）のＢ−Ｂ線断面図を示し、（ｂ）に間仕切壁部１５の内部構造の斜視図を示し、（ｂ）においては第２壁面材２２の図示を省略している。図３においては、（ａ）に連結部材５１及びスタッド３３の分解斜視図を示し、（ｂ）に連結部材５１の正面図を示す。
【００３１】
図１（ａ），（ｂ）に示すように、建物においては、第１居室１１と第２居室１２とが隣り合わせに配置されており、これら居室１１，１２は間仕切壁部１５により仕切られている。間仕切壁部１５は、第１居室１１の天井部１１ａと床部１１ｂとの間に掛け渡されており、間仕切壁部１５の上端が天井部１１ａに固定され、下端が床部１１ｂに固定されている。なお、天井部１１ａは、野縁等の天井下地と、天井下地に取り付けられた石膏ボード等の天井面材とを有しており、間仕切壁部１５の上端は天井下地に固定されている。床部１１ｂは、根太等の床下地と、床下地に取り付けられたフローリング材等の床面材とを有しており、間仕切壁部１５の下端は床下地に固定されている。
【００３２】
間仕切壁部１５は、互いに離間して設けられた一対の壁面材２１，２２と、これら壁面材２１，２２の間に設けられた壁下地２３とを有しており、壁面材２１，２２は、石膏ボード等の内装材により形成されている。壁面材２１は、第１居室１１側に設けられた第１壁面材２１であり、壁面材２２は、第２居室１２側に設けられた第２壁面材２２である。
【００３３】
なお、壁面材２１，２２には、間仕切壁部１５の仕上面を形成する壁仕上部（図示略）が重ねられている。壁仕上部は、壁面材２１，２２の表側面（壁下地２３とは反対側の面）に貼り付けられた壁紙等のシート材である。壁面材２１，２２において、壁仕上部が設けられる側の板面は、その壁仕上部により形成される仕上面が平坦になるように加工された加工面になっている。ちなみに、壁仕上部は、壁面材２１，２２の板面に塗料が塗布されることで形成された塗装層とされていてもよい。
【００３４】
壁下地２３は、互いに離間して設けられた上下一対のランナ３１，３２と、これらランナ３１，３２に掛け渡された状態で設けられたスタッド３３とを有している。ランナ３１，３２は、断面コ字状の軽量鉄骨材である溝形鋼により形成されており、互いの溝部を向かい合わせて配置されている。ランナ３１，３２は、ウェブとそのウェブを挟んで対向する一対のフランジとを有しており、それらウェブ及びフランジにより溝部が形成されている。ランナ３１は、スタッド３３の上側に配置された上側ランナ３１であり、溝部を下方に向けた状態で天井部１１ａに固定されている。ランナ３１，３２は、壁幅方向に沿って水平方向に延びている。ランナ３２は、スタッド３３の下側に配置された下側ランナ３２であり、溝部を上方に向けた状態で床部１１ｂに固定されている。
【００３５】
スタッド３３は、ランナ３１，３２の溝部内に入り込んでおり、その状態でランナ３１，３２の各フランジに対して溶接等により固定されている。スタッド３３は、ランナ３１，３２の溝部内に嵌合されており、それぞれの側面がランナ３１，３２の各フランジの内側面に重ねられている。壁厚み方向において、スタッド３３の厚み寸法は、ランナ３１，３２の一対のフランジの離間距離と同じ又はそれよりも若干小さくされている。上側ランナ３１の溝部内にはスタッド３３の上端部が入り込んでおり、下側ランナ３２の溝部内にはスタッド３３の下端部が入り込んでいる。
【００３６】
スタッド３３は、矩形筒状の軽量鉄骨材である角スタッド材により形成されており、壁高さ方向に沿って鉛直方向に延びている。スタッド３３は、壁面材２１，２２を支持するスタッド３３であり、壁幅方向に沿って所定間隔（例えば５０ｃｍ）で複数並べられている。各スタッド３３は、例えば隣り合う柱の並び方向に沿って等間隔で配置されており、壁面材２１，２２を支持する上で十分な強度を有している。
【００３７】
なお、ランナ３１，３２が壁幅方向に沿って延びている下地横材に相当し、スタッド３３が壁高さ方向に沿って延びている下地縦材に相当する。また、ランナ３１，３２及びスタッド３３は、壁面材２１，２２の裏面（壁下地２３側の面）に沿って延びている長尺下地材に相当する。
【００３８】
第１居室１１には、電気機器や手摺等の壁付き設備４１が設けられている。壁付き設備４１は、天井部１１ａと床部１１ｂとの中間位置において間仕切壁部１５に取り付けられている。なお、壁付き設備が建物設備に相当する。
【００３９】
間仕切壁部１５には、壁付き設備４１が固定された設備下地板４５が設けられている。設備下地板４５は、一対の壁面材２１，２２の間において、隣り合うスタッド３３の間に配置されている。設備下地板４５は、合板等により矩形板状に形成されており、壁面材２１，２２に沿って延びている。設備下地板４５は、第１壁面材２１の裏面に重ねられており、下地板部に相当する。設備下地板４５は、壁幅方向においてスタッド３３に横並びに配置され、壁高さ方向においてランナ３１，３２に縦並びに配置されている。この場合、設備下地板４５は、第１壁面材２１の裏面に沿って壁下地２３に並べて設けられていることになる。
【００４０】
設備下地板４５は、第１壁面材２１の裏面に重ねられている一方で、第２壁面材２２からは離間している。この場合、壁厚み方向において、設備下地板４５の厚み寸法が一対の壁面材２１，２２の離間距離より小さくされている。設備下地板４５の板面は、接着剤等により第１壁面材２１の裏面に接合されている。また、設備下地板４５において、第１壁面材２１側の板面は、スタッド３３における第１壁面材２１側の側面と面一になっている。このため、これにより、第１壁面材２１において、スタッド３３と設備下地板４５との境界部を壁幅方向に跨ぐ部分に不陸が生じないようになっている。
【００４１】
設備下地板４５は、壁高さ方向において天井部１１ａと床部１１ｂとの中間位置に配置されている。壁幅方向において、設備下地板４５の幅寸法は、この設備下地板４５を挟んで隣り合うスタッド３３の離間距離と同じ又はそれより若干小さくされている。この場合、設備下地板４５は、隣り合うスタッド３３の間に嵌め込まれた状態になっている。また、設備下地板４５は、略正方形状に形成されており、その高さ寸法は幅寸法とほぼ同じになっている。
【００４２】
設備下地板４５は、連結部材５１を介してスタッド３３に連結されていることで、間仕切壁部１５に固定されている。図２（ａ），（ｂ）に示すように、スタッド３３には、壁幅方向に向けて開放されたスリット５３が形成されており、連結部材５１は、スリット５３に挿し込まれた状態で設備下地板４５を支持している。スリット５３は、スタッド３３の外周部のうち壁厚み方向に延びている側面部３３ａを貫通し、壁高さ方向に沿って延びている長孔とされている。スタッド３３においては、２つの側面部３３ａが中空部を挟んで向かい合っており、それら側面部３３ａのうち設備下地板４５に近い側の側面部３３ａにスリット５３が形成されている。なお、スリット５３は、連結部材５１が挿入された被挿入部に相当する。
【００４３】
壁厚み方向において、スリット５３はスタッド３３の側面部３３ａの中央に配置されている。ここで、設備下地板４５の厚み寸法は、スタッド３３における第１壁面材２１側の側面とスリット５３との離間距離より小さくされている。この場合、スリット５３は、壁厚み方向において設備下地板４５よりも第２壁面材２２側（第１壁面材２１とは反対側）に配置されている。つまり、スリット５３と設備下地板４５とは、壁厚み方向において重ならない位置に配置されている。また、スリット５３と設備下地板４５とは壁厚み方向に離間している。
【００４４】
連結部材５１は、スリット５３に挿入された挿入部５５と、設備下地板４５に固定された固定部５６と、これら挿入部５５及び固定部５６の間に設けられた中間部５７とを有している。連結部材５１は、金属材料等の板材により全体として略長方形状に形成されており、弾性変形が可能になっている。連結部材５１においては、挿入部５５、固定部５６及び中間部５７が互いに連続した板部になっている。連結部材５１は、その板面を壁厚み方向に向けた状態で、挿入部５５がスリット５３に挿し込まれていることで、スタッド３３に取り付けられている。この場合、挿入部５５は、スリット５３を通じてスタッド３３の中空部に入り込んだ状態になっている。連結部材５１を形成する板材の厚み寸法は、スリット５３の幅寸法と同じ又はそれよりも若干小さくされており、挿入部５５がスリット５３に嵌合された状態になっている。壁高さ方向において、挿入部５５の高さ寸法は、スリット５３の高さ寸法よりも小さくされている。
【００４５】
連結部材５１は、設備下地板４５の第２壁面材２２側に配置されており、固定部５６は、設備下地板４５の裏面（第１壁面材２１とは反対側の板面）に重ねられた状態で、ビス等の固定具５９により設備下地板４５に固定されている。固定具５９は、設備下地板４５を貫通して固定部５６に打ち込まれることで、設備下地板４５を連結部材５１に固定している。固定具５９においては、その頭部が設備下地板４５の板面から第１壁面材２１側に突出していない。これにより、固定具５９の頭部により第１壁面材２１の仕上面に不陸が生じるということを抑制できる。
【００４６】
連結部材５１においては、スリット５３と設備下地板４５とが壁厚み方向に離間していることに起因して、挿入部５５と固定部５６とが壁厚み方向にずれた位置に配置されている。また、挿入部５５と固定部５６とは、壁幅方向において互いに離間している。この場合、中間部５７は、壁幅方向及び壁厚み方向の両方に延びていることで、挿入部５５と固定部５６とを接続している。具体的には、中間部５７は、挿入部５５から壁幅方向に沿って延びている幅部分５７ａと、固定部５６から壁厚み方向に沿って奥側（第２壁面材２２側）に向けて延びている奥行き部分５７ｂとを有しており、これら幅部分５７ａと奥行き部分５７ｂとは互いに交差する方向に延びている。連結部材５１については、中間部５７を折り曲げる折り曲げ加工が施されている。
【００４７】
連結部材５１においては、全体として、壁幅方向に延びている２つの板部分が壁厚み方向に延びている１つの板部分により接続された形状になっている。この場合、壁幅方向に延びている２つの板部分のうち、設備下地板４５に近い方の板部分が固定部５６を形成しており、設備下地板４５から遠い方の板部分が挿入部５５及び幅部分５７ａを形成している。また、２つの板部分を接続している１つの板部分が、奥行き部分５７ｂを形成していることになる。
【００４８】
連結部材５１は、固定部５６が設備下地板４５から離れる側（第２壁面材２２側）に移動する向きで、連結部材５１におけるスリット５３に重なる部分を軸として回動することを規制する、回動規制部６１を有している。回動規制部６１は、壁幅方向において、中間部５７の幅部分５７ａから設備下地板４５とは反対側（第２壁面材２２側）に向けて突出した凸部であり、スタッド３３の側面に引っ掛かることで連結部材５１の変位を規制することが可能になっている。回動規制部６１は、スタッド３３の側面に引っ掛かることで、中間部５７の幅部分５７ａがスリット５３内に入り込むことを規制する、という機能も有している。この場合、回動規制部６１は、挿入部５５と幅部分５７ａとの境界部から壁幅方向に沿って幅部分５７ａ側に延びていることになる。
【００４９】
連結部材５１は、スタッド３３に対して壁幅方向に移動することを規制する移動規制部６２を有している。移動規制部６２は、挿入部５５から延びた長尺形状とされており、挿入部５５と中間部５７との並び方向に沿って延びている。移動規制部６２は、挿入部５５と中間部５７との境界部を壁幅方向に跨いでおり、その自由端が中間部５７に近付く側に弾性変形することが可能になっている。移動規制部６２は、スリット５３の長手方向に沿って挿入部５５に縦並びに配置されている。
【００５０】
連結部材５１においては、挿入部５５と共に移動規制部６２の基端側がスリット５３を通じてスタッド３３の内部に入り込んでいる。この場合、移動規制部６２は、その自由端が中間部５７に近付く側に弾性変形しており、連結部材５１は、移動規制部６２がスタッド３３の内周面に押し付けられることでスリット５３に対して位置保持されている。移動規制部６２には、挿入部５５側に向けて凹んだ凹部６２ａが形成されており、その凹部６２ａにスリット５３の内周面（スタッド３３の側面部３３ａ）が引っ掛かっていることで、連結部材５１がスタッド３３に対して壁幅方向に移動しないようになっている。
【００５１】
移動規制部６２は、挿入部５５を挟んで一対設けられている。一対の移動規制部６２のうち下側の移動規制部６２は、挿入部５５及び中間部５７から下方に離間しており、上側の移動規制部６２は、挿入部５５及び中間部５７から上方に離間している。したがって、作業者は、一対の移動規制部６２を挟むようにして連結部材５１を持ち、それら移動規制部６２を弾性変形させた状態で連結部材５１をスリット５３に挿し込み、その後、移動規制部６２から手を放して凹部６２ａにスリット５３の内周面を引っ掛けさせるという容易な作業により、連結部材５１をスタッド３３に取り付けることができる。
【００５２】
図１（ａ）の説明に戻り、設備下地板４５は、複数の連結部材５１を介して壁下地２３に固定されている。複数の連結部材５１には、設備下地板４５を挟んで隣り合うスタッド３３のうち一方に設備下地板４５を固定するものと、他方に設備下地板４５を固定するものとが含まれている。この場合、設備下地板４５は、隣り合うスタッド３３に掛け渡された状態になっており、これらスタッド３３のそれぞれにスリット５３が形成されている。また、設備下地板４５は、１つのスタッド３３に対して複数の連結部材５１により固定されている。この場合、１つのスタッド３３に複数のスリット５３が形成されており、これらスリット５３は、壁高さ方向に沿って所定間隔で配置されている。
【００５３】
本実施形態では、隣り合うスタッド３３のうち一方に連結部材５１Ａ，５１Ｂが固定され、他方に連結部材５１Ｃ，５１Ｄが固定されている。この場合、設備下地板４５においては、壁幅方向において一方の端部側に連結部材５１Ａ，５１Ｂが取り付けられており、他方の端部側に連結部材５１Ｃ，５１Ｄが取り付けられている。なお、連結部材５１Ａ，５１Ｂが第１連結部材に相当し、連結部材５１Ｃ，５１Ｄが第２連結部材に相当する。
【００５４】
また、連結部材５１Ａ，５１Ｂは上下に並べて配置され、連結部材５１Ｃ，５１Ｄも上下に並べて配置されている。設備下地板４５においては、上端側に連結部材５１Ａ，５１Ｃが取り付けられており、下端側に連結部材５１Ｂ，５１Ｄが取り付けられている。この場合、上側の連結部材５１Ａ、５１Ｃは、同じ高さ位置において、壁幅方向に沿って横並びに配置されている。一方、下側の連結部材５１Ｂ，５１Ｄは、上側の連結部材５１Ａ，５１Ｃより低い位置において、壁幅方向に沿って横並びに且つ同じ高さ位置に配置されている。なお、連結部材５１Ａ，５１Ｃが上側連結部材に相当し、連結部材５１Ｂ，５１Ｄが下側連結部材に相当する。
【００５５】
次に、連結部材５１をスタッド３３に取り付ける場合の作業手順について、図２（ａ）、図４を参照しつつ説明する。図４は連結部材５１の取り付け手順を示す図である。
【００５６】
まず、スタッド３３をランナ３１，３２のそれぞれに固定することで設置する。ここで、スリット５３は、スタッド３３にあらかじめ形成しておいてもよく、スタッド３３の設置後に形成してもよい。
【００５７】
そして、図４（ａ）に示すように、スタッド３３のスリット５３に連結部材５１を挿入する。ここで、連結部材５１は、中間部５７が折り曲げられていない状態のものを用いる。この場合、連結部材５１は、回動規制部６１及び移動規制部６２を有する１つの板材になっており、挿入部５５、固定部５６及び中間部５７が同一平面上に配置されている。
【００５８】
その後、図４（ｂ）に示すように、連結部材５１を、回動規制部６１がスタッド３３の側面部３３ａに引っ掛かるまでスリット５３に挿し込んだ状態で、折り曲げる。ここでは、回動規制部６１を挟んでスタッド３３とは反対側の部分を、手前側（第１壁面材２１の設置位置側）に向けて折り曲げる。これにより、連結部材５１においては、回動規制部６１及び移動規制部６２に加えて、挿入部５５及び幅部分５７ａが形成されたことになる。
【００５９】
続いて、図４（ｃ）に示すように、既に折り曲げた部分よりもスタッド３３から遠ざかった部分を、奥側（第２壁面材２２の設置位置側）に向けて折り曲げる。これにより、奥行き部分５７ｂ及び固定部５６が形成されたことになる。
【００６０】
そして、図２（ａ）に示すように、連結部材５１の固定部５６に設備下地板４５を取り付け、その設備下地板４５の板面に接着剤を塗布して、第１壁面材２１をスタッド３３、ランナ３１，３２及び設備下地板４５に重ねる。その後、ビス等を第１壁面材２１を貫通させてスタッド３３やランナ３１，３２に打ち込むことで、第１壁面材２１を壁下地２３に固定する。ここで、第１壁面材２１の固定作業に際しては、ビス等を設備下地板４５に打ち込まなくてもよい。これは、第１壁面材２１を設備下地板４５に対してビス固定しなくても、第１壁面材２１は、壁下地２３により適正に支持されているためである。また、壁付き設備４１を間仕切壁部１５に取り付ける場合に、壁付き設備４１を固定するためのビス等を第１壁面材２１を介して設備下地板４５に打ち込むためでもある。
【００６１】
ここで、連結部材５１においては、幅部分５７ａに対する奥行き部分５７ｂの角度、及び奥行き部分５７ｂに対する固定部５６の角度は鈍角にしておく。この場合、固定部５６に対して壁厚み方向の外力が加えられた場合に、これら角度が増減することで固定部５６が壁厚み方向に変位しやすくなっている。例えば、連結部材５１の折り曲げ加工を行った後、仮に固定部５６の位置が第１壁面材２１の設置位置よりも手前側にはみ出ていたとしても、第１壁面材２１で固定部５６を奥側に押し込むという容易な作業により、幅部分５７ａに対する奥行き部分５７ｂの角度や、奥行き部分５７ｂに対する固定部５６の角度が変化して、固定部５６を奥側に移動させることができる。
【００６２】
以上詳述した本実施形態によれば、以下の優れた効果が得られる。
【００６３】
間仕切壁部１５の内部に設備下地板４５が設けられているため、壁付き設備４１を固定するビス等を設備下地板４５に打ち込むことで、間仕切壁部１５により壁付き設備４１を好適に支持することができる。
【００６４】
連結部材５１がスタッド３３のスリット５３に挿入されているため、その連結部材５１をスタッド３３と第１壁面材２１との間に挟み込む必要がない。この場合、スタッド３３において第１壁面材２１が取り付けられる取付面に段差が生じないため、連結部材５１の存在に起因した不陸が第１壁面材２１の仕上面に発生するということを回避できる。しかも、連結部材５１をスリット５３に挿入するという容易な作業によりその連結部材５１をスタッド３３に装着することができるため、設備下地板４５をスタッド３３に取り付ける際の作業負担を低減できる。したがって、壁付き設備４１の取り付けが可能な間仕切壁部１５を好適に構築することができる。
【００６５】
スリット５３がスタッド３３の側面に形成されているため、連結部材５１はスリット５３に単に挿入されることでそのスリット５３に引っ掛かった状態になる。したがって、連結部材５１がスリット５３に挿入された構成について、連結部材５１がスタッド３３から離脱しにくい構成を実現でき、しかも、スタッド３３に対する連結部材５１の取り付け構造が複雑になることを抑制できる。
【００６６】
連結部材５１Ａ，Ｃ（又は連結部材５１Ｂ，Ｄ）を介して、設備下地板４５が隣り合うスタッド３３に掛け渡された状態で設けられているため、スリット５３に対する連結部材５１の挿入深さが変化することで設備下地板４５が壁幅方向に移動したとしても、その設備下地板４５の側端面がスタッド３３の側面部３３ａに当たることで、連結部材５１がスリット５３から抜け落ちるということを抑制できる。
【００６７】
上下に並べられた複数の連結部材５１（例えば連結部材５１Ａ，５１Ｂ）を介して、設備下地板４５が１つのスタッド３３に連結されているため、設備下地板４５の上端部や下端部が壁厚み方向に移動する向きで設備下地板４５が回動するということを規制できる。また、連結部材５１が回動規制部６１を有しているため、固定部５６が壁厚み方向に移動する向きで連結部材５１が回動することを規制できる。いずれの規制によっても、壁付き設備４１を固定するビス等を設備下地板４５に対して打ち込んだ場合に、そのビス等の打ち込みに合わせて設備下地板４５が奥側（第２壁面材２２側）に移動してしまうということを抑制できる。このため、壁付き設備４１を固定するビス等を設備下地板４５に適正に打ち込むことができる。
【００６８】
連結部材５１が中間部５７を有しているため、その連結部材５１において、挿入部５５と固定部５６との位置関係を調整することができる。この場合、壁厚み方向において設備下地板４５の厚み寸法や位置に合わせてスリット５３の位置を変更しなくても、挿入部５５をスリット５３に挿入し且つ固定部５６を設備下地板４５に固定するという作業を容易に行うことができる。
【００６９】
スタッド３３が筒状であるため、その側面部３３ａにスリット５３を形成する作業を容易に行うことができる。しかも、スリット５３が長孔であるため、例えばスリット５３の長さ寸法と同じ直径を有する丸孔が側面部３３ａに形成された構成に比べて、スタッド３３の強度が低下しにくくなっている。さらに、スリット５３がスタッド３３の長手方向に沿って延びているため、例えばスリット５３がスタッド３３の短手方向に沿って延びている構成に比べて、スタッド３３の強度が低下しにくくなっている。
【００７０】
［他の実施形態］
本発明は上記実施形態の記載内容に限定されず、例えば次のように実施されてもよい。
【００７１】
（１）間仕切壁部１５における設備下地板４５の設置態様や、連結部材５１の設置態様を、図５に示すような態様としてもよい。例えば、壁幅方向において１つのスタッド３３を挟んで両側方に設備下地板４５が設置されていてもよい。この場合、スタッド３３においては、互いに対向する２つの側面部３３ａのそれぞれにスリット５３が形成されている。ここで、各側面部３３ａに形成されたスリット５３は、同じ高さ位置に配置されていてもよい。この場合でも、１つの連結部材５１が２つの側面部３３ａの各スリット５３の両方に挿入されているわけではないため、各側面部３３ａのスリット５３に別々の連結部材５１を挿入することができる。ただし、この場合は、挿入部５５の挿入された部分の長さ寸法を２つの側面部３３ａの離間距離より小さくすることや、各連結部材５１をそれぞれの挿入部５５同士がスタッド３３内で接触しない形状にすることが好ましい。
【００７２】
また、１つの設備下地板４５を１つのスタッド３３に固定する連結部材５１の数は、１つでもよく、３つ以上でもよい。さらに、１つの設備下地板４５を、隣り合うスタッド３３のうち一方のスタッド３３に連結する連結部材５１の数と、他方のスタッド３３に連結する連結部材５１の数とは同じでなくてもよい。加えて、１つの設備下地板４５を、隣り合うスタッド３３のうち一方のスタッド３３に連結する連結部材５１と、他方のスタッド３３に連結する連結部材５１とがそれぞれ１つである場合に、それら連結部材５１は異なる高さ位置に配置されていてもよい。
【００７３】
（２）連結部材５１は、挿入部５５や固定部５６、中間部５７を複数有していてもよい。例えば、図６に示すように、連結部材５１が挿入部５５を複数有している構成とする。この構成では、連結部材５１が、第１挿入部５５ａと、スタッド３３の長手方向に沿って第１挿入部５５ａに並ぶ位置に設けられた第２挿入部５５ｂとを有している。第１挿入部５５ａは、第２挿入部５５ｂの上方位置に配置されている。中間部５７は、挿入部５５ａ，５５ｂごとに設けられており、これら挿入部５５ａ，５５ｂは各中間部５７を介して固定部５６により連結されている。スタッド３３においては、設備下地板４５側の側面部３３ａに複数のスリット５３が上下に並べて配置されており、挿入部５５ａ，５５ｂがそれぞれ異なるスリット５３に挿入されている。
【００７４】
この構成によれば、連結部材５１が複数のスリット５３に跨った状態で挿入されているため、連結部材５１が単にスリット５３に挿入されているだけでも、その連結部材５１がスタッド３３から離脱しにくい構成を実現できる。特に、第１挿入部５５ａと第２挿入部５５ｂとが上下に並べられた構成では、連結部材５１の自重や設備下地板４５からの荷重などにより、上側の第１挿入部５５ａにはスリット５３から抜ける向きで力が加えられる一方で、下側の第２挿入部５５ｂにはスリット５３に挿入される向きで力が加えられるため、連結部材５１全体としては、挿入部５５ａ，５５ｂが各スリット５３から抜け落ちにくくなっている。
【００７５】
（３）上記実施形態では、スタッド３３において２つの側面部３３ａのうちの一方にスリット５３が形成されていたが、図７（ａ）に示すように、スリット５３は、スタッド３３の外周部のうち隣り合う側面部のそれぞれに形成されていてもよい。例えば、図７（ｂ）に示すように、間仕切壁部１５が互いに交差する２つの壁部を有しており、設備下地板４５として、２つの壁部のうち一方に第１下地板４５ａが設けられ、他方に第２下地板４５ｂが設けられ、これら下地板４５ａ，４５ｂがそれぞれ別の連結部材５１を介して、２つの壁部の交差部分に配置された１つのスタッド３３に連結された構成とする。この構成では、２つの壁部が有する第１壁面材２１同士の位置関係や、下地板４５ａ，４５ｂの位置関係などにより、各壁部のそれぞれにおいて壁厚み方向の下地板４５ａ，４５ｂの位置を微調整する必要が生じやすいと考えられるため、連結部材５１が弾性変形可能であることは、下地板４５ａ，４５ｂの設置に際して作業負担を低減することになる。
【００７６】
（４）上記実施形態では、連結部材５１の挿入部５５がスタッド３３の内部に配置されていたが、挿入部５５はスタッド３３を貫通してそのスタッド３３の外側に突出していてもよい。例えば、スタッド３３において２つの側面部３３ａのそれぞれにスリット５３が形成され、それらスリット５３は同じ高さ位置で横並びに配置されており、連結部材５１の挿入部５５が各スリット５３に挿通されることでスタッド３３を壁幅方向に貫通した構成とする。
【００７７】
（５）上記実施形態では、スタッド３３が矩形筒状の軽量鉄骨材により形成されていたが、スタッド３３は、図８（ａ）に示すように、断面コ字状の溝形鋼により形成されていてもよい。例えば、図８（ｂ）に示すように、スタッド３３がその溝部を壁幅方向に向けて設置され、設備下地板４５がスタッド３３の溝部側に配置された構成とする。この構成では、スタッド３３が、ウェブと、そのウェブを挟んで配置された一対のフランジとを有し、ウェブが壁厚み方向に延びた側面部３３ａを形成しており、その側面部３３ａにスリット５３が形成されている。連結部材５１は、スタッド３３の溝部を通過してスリット５３に挿入されており、中間部５７はスタッド３３の溝部内に入り込んだ状態になっている一方で、固定部５６は溝部の外側において設備下地板４５の裏面側に配置されている。この場合、連結部材５１の挿入部５５は、スタッド３３の外側に突出した状態になっている。
【００７８】
（６）上記実施形態では、設備下地板４５が隣り合うスタッド３３に掛け渡されていたが、設備下地板４５は、連結部材５１を介して１つのスタッド３３により片持ち支持されていてもよい。
【００７９】
（７）上記実施形態では、スタッド３３のスリット５３が壁高さ方向に延びていたが、スリット５３は壁幅方向に延びていてもよい。また、スタッド３３において連結部材５１が挿入される被挿入部は、長孔のスリット５３ではなく、丸形状や四角形状の貫通孔とされていてもよい。
【００８０】
（８）上記実施形態では、連結部材５１の固定部５６が設備下地板４５の裏面に重ねられていたが、固定部５６は設備下地板４５の表面（第１壁面材２１側の面）に重ねられていてもよく、設備下地板４５の側端面に形成された凹部に挿入されていてもよい。いずれの構成でも、固定部５６が設備下地板４５に固定されていればよい。
【００８１】
（９）上記実施形態では、スタッド３３のスリット５３が、壁厚み方向において設備下地板４５を挟んで第１壁面材２１の反対側に配置されていたが、スリット５３が設備下地板４５の側端面に対向していてもよい。この場合でも、連結部材５１の固定部５６が設備下地板４５に固定されていればよい。
【００８２】
また、壁厚み方向において、スリット５３と設備下地板４５との位置関係に応じて、挿入部５５に対する固定部５６の位置が設定されることになるため、スリット５３と設備下地板４５との位置関係によっては、挿入部５５と固定部５６とが壁幅方向において重なる位置に配置されていてもよい。
【００８３】
（１０）上記実施形態では、弾性変形可能な板材により連結部材５１が形成されていたが、連結部材５１は、塑性変形可能な板材により形成されていてもよい。この場合でも、連結部材５１に対して折り曲げ加工を施すことで、挿入部５５と固定部５６との位置関係を壁厚み方向について調整することができる。
【００８４】
（１１）上記実施形態では、スタッド３３が下地縦材とされていたが、下地縦材は、壁高さ方向に延びている長尺部材であれば、スタッド３３でなくてもよい。例えば、中実の柱状部材が下地縦材とされていてもよい。この場合でも、設備下地板４５側に向けて側方に開放された凹部や貫通孔などが被挿入部として下地縦材に形成されていれば、連結部材５１を被挿入部に挿入して下地縦材に取り付けることが可能となる。
【００８５】
（１２）上記実施形態では、連結部材５１がスタッド３３に取り付けられていたが、連結部材５１は、ランナ３１，３２等の下地横材に取り付けられていてもよい。この構成としては、設備下地板４５が下地横材の上側に配置された構成や、下地横材の下側に配置された構成、上下に隣り合う下地横材の間に設備下地板４５が配置された構成が挙げられる。ここで、設備下地板４５が１つの下地横材に取り付けられた構成では、連結部材５１がスリット５３から抜け落ちることが懸念されるが、上下に隣り合う下地横材のそれぞれに連結部材５１が取り付けられ、それら連結部材５１に設備下地板４５が固定されることで、連結部材５１が下地横材のスリット５３から抜け落ちにくい構成を実現できる。また、（２）の構成のように、連結部材５１が複数の挿入部を有していることで、連結部材５１が下地横材から離脱しにくい構成を実現することが可能になる。
【００８６】
（１３）上記実施形態では、設備下地板４５が間仕切壁部１５に設けられていたが、設備下地板４５は、壁部であれば外壁部に設けられていてもよい。例えば、外壁部において、設備下地板４５が外壁面材の裏面に重ねて設けられ、屋外側に設置された壁付き設備４１が、外壁面材を貫通して設備下地板４５に打ち込まれたビス等により固定された構成とする。
【００８７】
（１４）上記実施形態では、壁付き設備４１が間仕切壁部１５に取り付けられていたが、壁付き設備４１は、間仕切壁部１５に取り付けられていなくてもよい。この場合でも、設備下地板４５等の下地板部が間仕切壁部１５の内部に設けられていれば、新規で設置した壁付き設備４１を間仕切壁部１５に取り付けることが容易になる。
【符号の説明】
【００８８】
１１…壁部としての間仕切壁部、２１…壁面材としての第１壁面材、２３…壁下地、３３…下地縦材及び長尺下地材としてのスタッド、４５…下地板部としての設備下地板、５１…連結部材、５１Ａ…第１連結部材及び上側連結部材としての連結部材、５１Ｂ…第１連結部材及び下側連結部材としての連結部材、５１Ｃ…第２連結部材及び上側連結部材としての連結部材、５１Ｄ…第２連結部材及び下側連結部材としての連結部材、５３…被挿入部としてのスリット、５５…挿入部、５５ａ…第１挿入部、５５ｂ…第２挿入部、５６…固定部、５７…中間部、６１…回動規制部。
【図１】
2015124600.tif 000003
【図２】
2015124600.tif 000004
【図３】
2015124600.tif 000005
【図４】
2015124600.tif 000006
【図５】
2015124600.tif 000007
【図６】
2015124600.tif 000008
【図７】
2015124600.tif 000009
【図８】
2015124600.tif 000010